(57)【特許請求の範囲】
【請求項１】
複数の折りロ−ラと、用紙の先端が引き込まれる複数のバックルとを有し、前記折りロ−ラとバックルとの組み合わせで用紙に所定の折形を付与する第１の用紙折り部と、折形が付与される用紙の材質と同じ用紙を用紙挾み部に挾むことより折りロ−ラ間の間隔を調整する間隔調整装置と、折形を入力する入力部と、表示手段と、折形に対応して各折りロ−ラ間で設定される間隔を予め記憶しておく記憶部と、前記入力部と表示手段と記憶部に接続される制御部とを設け、入力部に入力される折形に応じて前記用紙挾み部に挾む用紙の枚数を表示手段に表示することを特徴とする用紙折機。
【請求項２】
前記第１の用紙折り部の搬入側に配置されるガイド板と、ガイド板の駆動手段と、折りナイフおよび一対の折りロ−ラを有する第２の用紙折り部とを設け、前記入力部に入力される用紙サイズによりガイド板を調整し、折形が付与される用紙と、当該用紙が搬入される前記第１の用紙折り部および第２の用紙折り部との位置合わせを行なうことを特徴とする請求項１に記載の用紙折機。
【発明の詳細な説明】
【０００１】
【発明の属する技術分野】
本発明は、折りロ−ラ間の間隔の設定を簡単に行なえる構成とした用紙折機に関するものである。
【０００２】
【従来の技術】
文字や図形等が記入された用紙を所定の大きさに折り込み、ファイルに綴じたり封筒に入れる場合がある。図１０〜図１２はこのような用紙折り込みの例を示す概略の斜視図である。図１０の例では、用紙Ｐを中央部のＸの位置で内側に二つ折りにする例である。
【０００３】
また、図１１の例は、用紙ＰのＸの位置で内側に一度折り込み、更にＹの位置で外側に折り込んで三つ折り（片袖折り）にする例である。図１２の例は、図１０のように二つ折りにした用紙Ｐを更にＺの位置で内側に折り込み、四つ折りとした例を示している。このように、所定の位置で二つ折りにする等の種々の折形を多数の用紙に連続して付する場合には、用紙折機が使用される。この用紙折機は、折りロ−ラを用いて用紙に折形を付与するものである。
【０００４】
図８は、このような用紙折機の構成の例を示す説明図である。図８において、Ｓは搬送部、Ｔは第１の用紙折り部、Ｒは第２の用紙折り部である。印刷機から排出されたり、または印刷された用紙を予め集積しておく用紙トレイから、用紙Ｐが搬送部Ｓにより矢視ａ方向で第１の用紙折り部Ｔに搬送されてくる。
【０００５】
搬送部Ｓの終端付近にはガイド板Ｓ１、Ｓ２が設けられている。各ガイド板Ｓ１、Ｓ２は、用紙Ｐの幅方向のサイズに応じてそれぞれ矢視Ｇ１、Ｇ２方向に移動し、第１の用紙折り部Ｔおよび第２の用紙折り部Ｒに対して用紙Ｐの位置合わせを行なう。
【０００６】
第１の用紙折り部Ｔには、所定数の折りロ−ラＴ１、用紙の先端を引き込む第１および第２のバックルＴ２、Ｔ３が設けられている。矢視ｂ方向から第１の用紙折り部Ｔに搬入された用紙Ｐは、第１および第２のバックルＴ２、Ｔ３と、折りロ−ラＴ１が協同して作用することにより、設定された種々の形状の折形が付与される。この例では二つ折りの折形が付与された用紙Ｐが、第１の用紙折り部Ｔから矢視ｃ方向に搬出される。
【０００７】
第２の用紙折り部Ｒには、折りナイフＲ１、一対の折りロ−ラＲ２が設けられている。第１の用紙折り部Ｔにおいて前記のように所定の形状、例えば二つ折りの折形が付与された用紙Ｐが一対の折りロ−ラＲ２の上に搬入される。
【０００８】
この際に、折りナイフＲ１が矢視ｄ方向から移動して、用紙Ｐを一対の折りロ−ラＲ２間に押し込むように動作し、また、一対の折りロ−ラＲ２は矢視Ｒａ、Ｒｂ方向に回転して用紙Ｐに折形を付与しながら矢視ｅ方向に給送する。このようにして、用紙Ｐには図１２に示したような、折り位置が直交する方向に形成される四つ折りの折形が付与される。
【０００９】
第２の用紙折り部Ｒは、図１２の四つ折りの折形が付与される例のように、折り位置が直交する方向に形成されるように折り込む際に必要となるが、図１１の片袖折りの例のように、折り位置が反対になったときに一枚だけ折り込むような折形を付与する際には、第１の用紙折り部Ｔのみで対処できる。
【００１０】
図９は、第１の用紙折り部Ｔの動作を模擬して示す側面図である。折りロ−ラＴ１は、固定ロ−ラＴｂと、可動ロ−ラＴａ、Ｔｃ、Ｔｄで構成されている。各可動ロ−ラＴａ、Ｔｃ、Ｔｄは、それぞれロ−ラ内に示している矢視方向に昇降または左右に移動する。
【００１１】
バックルＴ２、Ｔ３には、それぞれストッパＱａ、Ｑｂが設けられており、用紙サイズや折形に応じて各ストッパＱａ、Ｑｂは、矢視Ｓａ、Ｌａ方向、または矢視Ｓｂ、Ｌｂ方向に移動する。
【００１２】
折りロ−ラのＴａ〜Ｔｄは、初期状態ではそれぞれ接触した状態となっているが、折形を付与する際には折りロ−ラ間を通過する用紙の枚数に合わせて折りロ−ラ間の間隔を調整している。このような折りロ−ラ間の間隔調整は、用紙挾み部Ｕによってなされている。用紙挾み部Ｕには、識別マ−クＡ、Ｂ、Ｃが付されている三個所の調整部が設けられている。
【００１３】
例えば、用紙に図１１に示したように片袖折りの折形を付与する場合には、折りロ−ラＴａとＴｂ間を通過する用紙は一枚であり、折りロ−ラＴｂとＴｃ間を通過する用紙は二つに折り込まれた用紙となるので二枚である。また、折りロ−ラＴｃとＴｄ間を通過する用紙は二つに折り込まれた用紙の一方を更に折り返して重ねているので三枚になる。
【００１４】
このように、折形を付与する用紙の材質が選定され、また折形の形状が選定されると、用紙挾み部Ｕの各調整部Ａ、Ｂ、Ｃには、同じ材質の用紙の小片を用いて各折りロ−ラ間の間隔を調整する。前記の例であれば、調整部Ａでは用紙一枚分折りロ−ラＴａとＴｂ間の間隔を開ける。調整部Ｂでは用紙二枚分折りロ−ラＴｂとＴｃ間の間隔を開ける。調整部Ｃでは用紙三枚分折りロ−ラＴｃとＴｄ間の間隔を開ける。
【００１５】
Ｖは搬出部で、一対の送りロ−ラＶａ、Ｖｂが設けられており、第１の用紙折り部Ｔで折形が付与された用紙を第２の用紙折り部Ｒに搬出する。第２の用紙折り部Ｒによる折形の付与が不要であれば、第１の用紙折り部Ｔで折形が付与された用紙をそのまま外部に搬出する。
【００１６】
【発明が解決しようとする課題】
このように、従来の用紙折機においては、用紙のサイズや材質、折形の形状を選定すると、ガイド板Ｓ１、Ｓ２の間隔を調整し、使用するバックルを設定する。使用するバックルが設定されると、前記のように折りロ−ラ間の間隔調整を行なうが、用紙挾み部Ｕの各調整部Ａ、Ｂ、Ｃにおいて、用紙を何枚挾んで対応する折りロ−ラの間隔調整を行なうかは、折形が付与される用紙の材質（用紙の厚さ）および折形に対応して、作業員が経験に基づき判断していた。このような判断は、用紙折機の扱いに習熟した作業員を必要としており、時間もかかるという問題があった。
【００１７】
本発明はこのような問題に鑑み、折りロ−ラ間の間隔の設定を簡単に行なえる構成とした用紙折機の提供を目的とする。
【００１８】
【課題を解決するための手段】
本発明の上記目的は、請求項１に係る発明において用紙折機を、複数の折りロ−ラと、用紙の先端が引き込まれる複数のバックルとを有し、前記折りロ−ラとバックルとの組み合わせで用紙に所定の折形を付与する第１の用紙折り部と、折形が付与される用紙の材質と同じ用紙を用紙挾み部に挾むことより折りロ−ラ間の間隔を調整する間隔調整装置と、折形を入力する入力部と、表示手段と、折形に対応して各折りロ−ラ間で設定される間隔を予め記憶しておく記憶部と、前記入力部と表示手段と記憶部に接続される制御部とを設け、入力部に入力される折形に応じて前記用紙挾み部に挾む用紙の枚数を表示手段に表示する構成とすることによって達成できる。
【００１９】
また、請求項２に係る発明においては、請求項１に記載の用紙折機において、前記第１の用紙折り部の搬入側に配置されるガイド板と、ガイド板の駆動手段と、折りナイフおよび一対の折りロ−ラを有する第２の用紙折り部とを設け、前記入力部に入力される用紙サイズによりガイド板を調整し、折形が付与される用紙と、当該用紙が搬入される前記第１の用紙折り部および第２の用紙折り部との位置合わせを行なうことを特徴とする。
【００２０】
請求項１に係る発明は、折形を入力部で入力することにより、用紙挾み部に挟み込む用紙の枚数を表示手段に表示している。このため、各折りロ−ラ間の間隔を調整する際に、表示された枚数の用紙を用紙挾み部に挟み込むことにより、各折りロ−ラ間の間隔を調整することができる。このように、各折りロ−ラ間の間隔調整を経験のない作業者でも簡単に行なうことができる。
【００２１】
また、請求項２に係る発明は、入力部に入力される用紙サイズによりガイド板を調整し、折形が付与される用紙と、当該用紙が搬入される前記第１の用紙折り部および第２の用紙折り部との位置合わせを行なっている。このため、第１の用紙折り部に第２の用紙折り部を連結して動作させる場合にも、特別な設定を行なう必要がないので、用紙折機の操作性を高めることができる。
【００２２】
【発明の実施の形態】
以下、本発明の実施の形態に係る用紙折機について説明する。図５〜図７は、本発明が適用される用紙折機の第１の用紙折り部により、図１１に示した片袖折りを行なう例を示す側面図である。図において、Ｐは折形が付与される用紙、１１ａ、１１ｂおよび１３ａ、１３ｂは折りロ−ラ、１６は第１バックル、１６ａは第１バックルストッパ、１７は第２バックル、１７ａは第２バックルストッパ、１８ａ、１８ｂは送りロ−ラである。
【００２３】
第１、第２バックルストッパ１６ａ、１７ａは、用紙サイズや折形に応じて矢視Ｓａ、Ｌａ方向、または矢視Ｓｂ、Ｌｂ方向に移動する。第１、第２バックルストッパ１６ａ、１７ａを移動させる駆動源としては、一例としてステッピングモ−タが用いられる。
【００２４】
用紙の厚さは、用紙の材質により相違しており、また、折形に応じて前記各折りロ−ラ間を通過する用紙の枚数は相違しているので、用紙の材質と折形が決まると、後述するようにして各折りロ−ラ１１ａと１１ｂ、１１ｂと１３ａ、１３ａと１３ｂ間の間隔が調整される。
【００２５】
第１、第２バックルストッパ１６ａ、１７ａの位置を設定し、各折りロ−ラ間の間隔調整を行なった後に、図５のように用紙Ｐを給紙して折りロ−ラ１１ａと１１ｂ間を通過させ、用紙Ｐを第１バックル１６に引込み、先端を第１バックルストッパ１６ａの位置で停止させる。先端が第１バックルストッパ１６ａで押えられても、用紙Ｐは折りロ−ラ１１ａと１１ｂにより更に給送されるので、折りロ−ラ１１ｂ、１３ａ間に次第に撓みが生じてくる。
【００２６】
撓みが生じた用紙Ｐは、次に図６に示されるようにして折りロ−ラ１１ｂ、１３ａ間で折形が付与されながら第２バックル１７に引き込まれ、その先端が第２バックルストッパ１７ａの位置で停止する。先端が第２バックルストッパ１７ａで押えられても、用紙Ｐは折りロ−ラ１１ａと１１ｂ、および折りロ−ラ１３ａと１１ｂにより更に給送されるので、折りロ−ラ１３ａ、１３ｂ間に次第に撓みが生じてくる。
【００２７】
撓みが生じた用紙Ｐは、次に図７に示されるようにして折りロ−ラ１３ａ、１３ｂ間で折形が付与されながら、送りロ−ラ１８ａ、１８ｂより次工程に搬出される。このようにして、用紙Ｐには図１１に示すような片袖折りが付与される。
【００２８】
図２は、折りロ−ラ間の間隔、例えば折りロ−ラ１１ａと１１ｂ間の間隔を調整する折りロ−ラ間隔調整装置の例を示す側面図である。図２において、折りロ−ラ間隔調整装置１には、固定ブロック２ａ、可動ブロック２ｂからなる用紙挾み部２が設けられている。可動ブロック２ｂはレバ−３に連結されており、レバ−３は支点５を介して第１の支持ブロック４に支持されている。固定ブロック２ａは、レバ−３の上に固定されている。
【００２９】
６は連結軸、７は連結軸６に取り付けられているバネ、８は第２の支持ブロック、９はフレ−ム、１０は折りロ−ラ１１ａの回転軸を支持する第１の軸受、１２は折りロ−ラ１１ｂの回転軸を支持する第２の軸受である。第２の軸受１２はフレ−ム９に固定されており、折りロ−ラ１１ｂは移動しない。また、前記第１の支持ブロック４もフレ−ム９に固定されている。
【００３０】
これに対して、第２の支持ブロック８はフレ−ム９の側面に沿って微小距離昇降する構成としており、これに伴って第１の軸受１０が昇降するので、折りロ−ラ１１ａと折りロ−ラ１１ｂの間の間隔が調整される。１４は折りロ−ラ間の間隔微調整用のつまみであり中央部にネジ穴が形成されており、連結軸６の先端に設けられているネジ６ａと係合する。つまみ１４の下部表面は、レバ−３の上部表面と接触している。
【００３１】
次に、折りロ−ラ間隔調整装置１の動作について説明する。例として、折りロ−ラ１１ａと折りロ−ラ１１ｂ間で二枚の用紙が通過して折形が付与されるものとする。初期状態では、用紙挾み部２の固定ブロック２ａと可動ブロック２ｂとは接触している。この状態から可動ブロック２ｂを矢視Ｄ方向に押し下げ、固定ブロック２ａと可動ブロック２ｂ間に隙間を形成する。この隙間に、折形が付与される用紙と同じ材質の用紙Ｐ２を二枚挾み込む。
【００３２】
この際に、固定ブロック２ａと可動ブロック２ｂ間には、用紙二枚分の間隔が形成され、可動ブロック２ｂは用紙二枚分だけ初期状態よりも下方に移動する。このため、支点５を介してレバ−３が移動し、反作用によりつまみ１４を矢視Ｅ方向に上昇させる。つまみ１４が矢視Ｅ方向に上昇することにより、つまみ１４に固定されている連結軸６が上昇する。
【００３３】
このために、第２の支持ブロック８がバネ７の弾性力に抗してフレ−ム９の側面に沿って上昇する。第２の支持ブロック８が上昇することにより、第１の軸受１０が連動して上昇し、折りロ−ラ１１ａは用紙二枚分折りロ−ラ１１ｂとの間隔を開ける。
【００３４】
この状態で試験的に用紙に折形を付与し、折形が設定通りに付与されない場合には、つまみ１４により折りロ−ラ１１ａと１１ｂ間の間隔を微調整する。つまみ１４を一方向に回動すると、第２の支持ブロック８が上昇して、第１の軸受１０が連動して上昇し、折りロ−ラ１１ａは微小距離折りロ−ラ１１ｂとの間隔を開ける。つまみ１４を反対方向に回すと、折りロ−ラ１１ａと折りロ−ラ１１ｂとの間隔は、微小距離接近する。
【００３５】
図３は、用紙挾み部２の概略構成を示す斜視図である。構成の理解を助けるために、固定ブロック２ａと可動ブロック２ｂとは、間隔を開けた状態で図示している。１４ａ〜１４ｃは、前記各折りロ−ラ間の間隔の微調整用つまみである。固定ブロック２ａには、各折りロ−ラ間の間隔を調整する位置毎に三個所に識別マ−クＡ、Ｂ、Ｃが付されている。図３の例では、識別マ−クＡの位置に用紙Ｐ２を二枚挾み、識別マ−クＢの位置に用紙Ｐ３を三枚挾み、識別マ−クＣの位置に用紙Ｐ１を一枚挾んでいる。
【００３６】
図４は、本発明に係る用紙折機の制御装置を示すブロック図である。次にこのブロック図について説明する。この制御装置は、各種ボタンからなる入力部Ａ１、中央演算処理装置（ＣＰＵ）等を用いた制御部Ｂ１、表示ランプや電子管を用いた表示部Ｃ１、ガイド板駆動用モ−タ制御回路Ｄ１、スタ−ト、ストップボタンＥ１、記憶部Ｆ１、第１のストッパ駆動用モ−タ制御回路Ｇ１、第２のストッパ駆動用モ−タ制御回路Ｈ１、枚数表示モニタＩ１で構成されている。
【００３７】
入力部Ａ１には、折形を付与する用紙のサイズを設定する用紙サイズボタンａ、二つ折り、三つ折り等の折形の形態を設定する折形ボタンｂ、折形を付与する用紙の枚数を設定する数値セットボタンｃ、第１バックルストッパ１６ａと第２バックルストッパ１７ａのいずれかを選択するストッパ選択ボタンｄ、第１バックルストッパ１６ａと第２バックルストッパ１７ａを、図１に示した矢視Ｓａ、Ｌａ方向またはＳｂ、Ｌｂ方向のいずれの方向に移動するかを設定するＳ、Ｌ方向ボタンｅ、用紙材質により異なる用紙の厚みをノギス等で測定して設定する用紙材質設定ｆが設けられている。
【００３８】
ここで、前記ストッパ選択ボタンｄ、Ｓ、Ｌ方向ボタンｅの設定について説明する。例えば、図１０のような折形を付与する場合において、図示を省略している試し折りを設定して用紙折機を動作させた際に、折形の位置が中央からずれた状態で出力されたとする。このようなときには、ストッパ選択ボタンｄは第１バックルストッパ１６ａを選択する。
【００３９】
次に、用紙を二つ折りにしたときに、図１０のＰａ、Ｐｂのいずれの側が長いかをみてＳ、Ｌ方向ボタンｅを設定する。この設定でボタンを押す毎に、第１のストッパ駆動用モ−タ制御回路Ｇ１からの制御信号でステッピングモ−タを駆動し、例えば０．２ｍｍ単位でＳ、Ｌ方向ボタンｅで設定された方向に第１バックルストッパ１６ａが移動する。
【００４０】
図１１のように、用紙を片袖折りにする際に折形がＹの位置からずれている場合には、ストッパ選択ボタンｄは第２バックルストッパ１７ａを選択する。この場合にも、ずれた位置を修正する方向にＳ、Ｌ方向ボタンｅを設定する。前記図１０の例で説明したと同様に、第２のストッパ駆動用モ−タ制御回路Ｈ１からの制御信号でステッピングモ−タを駆動し、第２バックルストッパ１７ａを移動させる。
【００４１】
数値セットボタンｃにより折り処理する用紙の枚数を設定すると、その数値は表示部Ｃ１の電子管にアナログで表示される。この電子管は、操作パネルに例えば４本設置しておき、４桁の数値を表示できるようにしてある。操作パネルには、Ａ３、Ａ４、Ｂ４、Ｂ５等の用紙サイズに対応させて表示ランプが設けられており、用紙サイズボタンａを押す毎に表示ランプの点灯位置が移動する。また、操作パネルには二つ折り、三つ折り等の種々の折形に対応させて表示ランプが設けられており、折形ボタンｂを押す毎に表示ランプの点灯位置が移動する。
【００４２】
折形を付与する用紙の用紙サイズを決定し、用紙サイズボタンａを押すと、制御部Ｂ１はガイド板駆動用モ−タ制御回路Ｄ１に信号を送り、ガイド板駆動用モ−タ制御回路Ｄ１は所定の制御信号を形成して、ガイド板駆動用モ−タに制御信号を印加する。このため、図８で説明したガイド板Ｓ１、Ｓ２は矢視Ｇ１、Ｇ２方向に所定距離移動する。
【００４３】
用紙サイズボタンａ、折形ボタンｂ、ストッパ選択ボタンｄ、Ｓ、Ｌ方向ボタンｅ、用紙材質ボタンｆによる設定内容は、メモリボタンを押すことにより記憶部Ｆ１の所定のエリアに登録される。この登録内容は、呼出しボタンを押すことにより記憶部Ｆ１から呼出すことができる。
【００４４】
図１は、本発明の用紙折機において、折りロ−ラ間の間隔の設定を行なう例を説明する側面図である。本発明においては、用紙挾み部２に前記したような用紙の枚数表示モニタ１５を設けている。この枚数表示モニタ１５は、固定ブロック２ｂに設けられている識別マ−クＡ、Ｂ、Ｃの位置に対応させて、各別に枚数表示モニタ１５ａ〜１５ｃを設けて構成されている。
【００４５】
枚数表示モニタ１５ａ〜１５ｃには、各識別マ−クＡ、Ｂ、Ｃの位置において、折りロ−ラ間の間隔を用紙何枚分開けるかを、固定ブロックと可動ブロック間に挾み込む用紙の枚数により数字で表示している。図１の例では、識別マ−クＡの位置では用紙一枚、識別マ−クＢの位置では用紙二枚、識別マ−クＣの位置では用紙三枚、固定ブロックと可動ブロック間に挾み込むことを表示している。各枚数表示モニタ１５ａ〜１５ｃには液晶を用いているが、枚数表示モニタを用いることに代えて電子管を用いて用紙の枚数を表示しても良い。
【００４６】
次に、各枚数表示モニタ１５ａ〜１５ｃに枚数を表示する手順について説明する。入力部Ａ１の折形ボタンｂを操作して、折形を制御部Ｂ１に入力する。記憶部Ｆ１には、折形に対応させて各折りロ−ラ間を通過する用紙の枚数が予めテ−ブルに記憶されている。制御部Ｂ１は、記憶部Ｆ１の前記テ−ブルを参照して入力された折形に基づいて各折りロ−ラ間を通過する用紙の枚数を判断する。
【００４７】
この判断結果により、枚数表示モニタＩ１に所定の用紙の枚数を表示する。この枚数の表示は、図１で説明したように、固定ブロック２ｂの各識別マ−クＡ、Ｂ、Ｃに対応する表示モニタ１５ａ〜１５ｃに、各折りロ−ラ間を通過する用紙の枚数を数字で表示するものである。
【００４８】
作業員は、各識別マ−クＡ、Ｂ、Ｃに対応して設けられている表示１５ａ〜１５ｃに表示された枚数の用紙を、用紙挾み部２の可動ブロック２ａと固定ブロック２ｂとの間に挾み、各折りロ−ラ間の間隔を調整する。
【００４９】
このように、各折りロ−ラ間の間隔を調整して試験的に用紙に折形を付与する。その結果、各折りロ−ラ間の間隔が適正でない場合には、前記用紙挾み部２で挾み込まれる用紙の枚数を変更し、各折りロ−ラ間の間隔を適正な間隔に設定する。このようにして、各折りロ−ラ間の間隔を適正な間隔に設定した場合には、記憶部Ｆ１のテ−ブルに記憶されている用紙の枚数を適正な枚数に変更し、この枚数を記憶させる。
【００５０】
図１、図４で説明したように、本発明においては、折形を入力部で設定することにより、用紙挾み部の各識別マ−クに対応して設けた枚数表示モニタに、用紙挾み部で挟み込む用紙の枚数を表示している。このため、作業員は各折りロ−ラ間の間隔を調整する際に、表示された枚数の用紙を用紙挾み部に挟み込むことにより、簡単に各折りロ−ラ間の間隔を調整することができる。
【００５１】
次に、図８で説明したように、第１の用紙折り部で折りロ−ラとバックルにより用紙に折形を付与した後に、第２の用紙折り部で折りナイフと一対の折りロ−ラにより更に所定の折形を付与する場合の処理について説明する。図４で説明したように、用紙サイズボタンａにより折形を付与する用紙のサイズが設定され、折形ボタンｂにより折形が設定されると、制御部Ｂ１は、第２の用紙折り部の折りナイフ、および一対の折りロ−ラを駆動する駆動源に制御信号を印加する。
【００５２】
搬送部Ｓの終端付近に設けられているガイド板Ｓ１、Ｓ２は、用紙のサイズが設定されると、用紙の幅方向のサイズに応じてそれぞれ矢視Ｇ１、Ｇ２方向に移動し、第１の用紙折り部および第２の用紙折り部に対して位置合わせを行なう。このため、前記のように入力部Ａ１において所定の設定を行なえば、特別な設定を行なうことなく第２の用紙折り部を動作させることができる。
【００５３】
【発明の効果】
以上説明したように請求項１に係る発明は、折形を入力部で入力することにより、用紙挾み部に挟み込む用紙の枚数を表示手段に表示している。このため、各折りロ−ラ間の間隔を調整する際に、表示された枚数の用紙を用紙挾み部に挟み込むことにより、各折りロ−ラ間の間隔を調整することができる。このように、各折りロ−ラ間の間隔調整を経験のない作業者でも簡単に行なうことができる。
【００５４】
また、請求項２に係る発明は、入力部に入力される用紙サイズによりガイド板を調整し、折形が付与される用紙と、当該用紙が搬入される前記第１の用紙折り部および第２の用紙折り部との位置合わせを行なっている。このため、第１の用紙折り部に第２の用紙折り部を連結して動作させる場合にも、特別な設定を行なう必要がないので、用紙折機の操作性を高めることができる。
【図面の簡単な説明】
【図１】本発明の実施の形態である用紙折機の側面図である。
【図２】折りロ−ラ間隔調整装置の例を示す側面図である。
【図３】用紙挾み部２の概略構成を示す斜視図である。
【図４】用紙折機の制御装置を示すブロック図である。
【図５】用紙に折形を付与する例を示す側面図である。
【図６】用紙に折形を付与する例を示す側面図である。
【図７】用紙に折形を付与する例を示す側面図である。
【図８】用紙折機の構成の例を示す説明図である。
【図９】図８の第１の用紙折り部Ｔの動作を模擬して示す側面図である。
【図１０】用紙折り込みの例を示す概略の斜視図である。
【図１１】用紙折り込みの例を示す概略の斜視図である。
【図１２】用紙折り込みの例を示す概略の斜視図である。
【符号の説明】
１    折りロ−ラロ−ラ間隔調整装置
２    用紙挾み部
２ａ  固定ブロック
２ｂ  可動ブロック
３    レバ−
１１ａ、１１ｂ  折りロ−ラ
１３ａ、１３ｂ  折りロ−ラ
１４    つまみ
１５    枚数表示モニタ
１６    第１バックル
１６ａ  第１バックルストッパ
１７    第２バックル
１７ａ  第２バックルストッパ
Ａ１    入力部
Ｂ１    制御部
Ｃ１    表示部
Ｄ１    ガイド板駆動用モ−タ制御回路
Ｆ１    記憶部
Ｉ１    枚数表示モニタ
【図１】
0004101389.tif 000002
【図２】
0004101389.tif 000003
【図３】
0004101389.tif 000004
【図４】
0004101389.tif 000005
【図５】
0004101389.tif 000006
【図６】
0004101389.tif 000007
【図７】
0004101389.tif 000008
【図８】
0004101389.tif 000009
【図９】
0004101389.tif 000010
【図１０】
0004101389.tif 000011
【図１１】
0004101389.tif 000012
【図１２】
0004101389.tif 000013